(57)【要約】【課題】フロントパネルの開閉構造を簡単な構成にして、カメラコントロールユニットの製造コストを抑える。【解決手段】カメラコントロールユニット１が備えるシャーシ２の左右の側板には、支持軸３３を備えた取付金具３が設けられている。シャーシ２の下板が備える載置部２６には、シールドガスケット２７が取り付けられている。フロントパネル４は、支持軸３３が挿通される挿通孔４４を左右の側板４３に備えている。フロントパネル４は、シャーシ２を閉じる閉位置と開く開位置との間で回転自在に、支持軸３３で挿通孔４４を支持される。フロントパネル４の下側の側板４３からは、後方に向けて接地用のリブ４５が延びている。シールドガスケット２７は、フロントパネル４が閉位置に位置した状態で、リブ４５と載置部２６とで挟み込まれる。【選択図】図２
2011103375.tif 000002
【特許請求の範囲】
【請求項１】
略箱形のシャーシの前面に設けられた開口部を開閉するフロントパネルの開閉構造であって、
前記シャーシの設置に用いる一対の取付具に支持部を備え、
前記フロントパネルは、前記シャーシを閉じる閉位置と開く開位置との間で回転自在に、前記支持部で被支持部を支持されていることを特徴とするフロントパネルの開閉構造。
【発明の詳細な説明】
【技術分野】
【０００１】
本発明は、シャーシを開閉するフロントパネルの開閉構造に関するものである。
【背景技術】
【０００２】
電子機器では、フロントパネルを開閉機構でシャーシに支持したり、フロントパネルとシャーシとを電気的に接触させて、フロントパネルを接地することが行われている。
【０００３】
例えば、特許文献１の増幅器では、正面の操作パネルに設けられた開閉扉を回動機構で開閉する。回動機構は、筐体に固定された軸受け部の軸孔と、開閉扉に固定された回動部の軸孔とに回動軸部を挿入して構成されている。開閉扉は、回動部を覆うようにして開閉扉から延びた導電部が、筺体に固定された導電部材に接触することで、どの開閉位置でも接地された状態を保つ。
【０００４】
また、特許文献２の記録及び／又は再生装置が備える支持機構は、機器本体が正面の各下側コーナ部に備えた支持突起を、操作パネルが各下側コーナ部の突出部に備えた枢支部に枢支している。機器本体には緩衝機構と歯合した歯車が軸支されており、この歯車が突出部に備えられた歯車と歯合することで、操作パネルの回動速度が規制される。
【先行技術文献】
【特許文献】
【０００５】
【特許文献１】特開２００７−１５０１１０号公報
【特許文献２】特開平９−２３７９７８号公報
【発明の概要】
【発明が解決しようとする課題】
【０００６】
カメラコントロールユニットでは、上記特許文献１，２に示されるようなフロントパネルの支持構造の他にも、フロントパネルをシャーシにヒンジで固定することでフロントパネルの支持及び接地を行ったり、対になるボールキャッチをフロントパネル及びシャーシに取り付けることで、フロントパネルをシャーシに着脱自在に支持することが考えられている。
【０００７】
しかしながら、ヒンジを用いてフロントパネルを支持する場合には、ヒンジ自体が高価であることからカメラコントロールユニットの製造コストが高くなる問題があった。また、フロントパネルをシャーシに着脱させる場合には、フロントパネルにはコネクタやスイッチを設置できないことから、これらを設置するためのサブパネルをシャーシの内部に取り付ける必要があり、その分カメラコントロールユニットの製造コストが高くなる問題があった。
【０００８】
しかも、フロントパネル（開閉扉）から延びた導電部をシャーシ（筺体）に固定された導電部材に接触させながら開閉扉を開閉させたり、フロントパネルをシャーシに支持するヒンジでフロントパネルとシャーシとを電気的に接触させる場合には、フロントパネルとシャーシとが線接触することとなり、接地抵抗が高くなるという問題もあった。
【０００９】
本発明は、このような状況に鑑みてなされたものであり、上記課題を解決することができるフロントパネルの開閉構造を提供することを目的とする。
【課題を解決するための手段】
【００１０】
このような目的を達成するために、本発明のフロントパネルの開閉構造は、略箱形のシャーシの前面に設けられた開口部を開閉するフロントパネルの開閉構造であって、前記シャーシの設置に用いる一対の取付具に支持部を備え、前記フロントパネルが、前記シャーシを閉じる閉位置と開く開位置との間で回転自在に、前記支持部で被支持部を支持されていることを特徴とする。
【発明の効果】
【００１１】
本発明によれば、シャーシの設置に用いる取付具に支持部を設け、フロントパネルに被支持部を設けるという簡単な構成で、フロントパネルでシャーシを開閉することができ、カメラコントロールユニットの製造コストを抑えることができる。
【図面の簡単な説明】
【００１２】
【図１】本発明の一実施形態のカメラコントロールユニットを示す斜視図である。
【図２】カメラコントロールユニットが備えるフロントパネルの開閉構造を示す図であり、図１のＡ断面図である。
【発明を実施するための形態】
【００１３】
以下、図面を参照して、本発明の一実施形態について説明する。
図１は、本実施形態のカメラコントロールユニット１を示す斜視図である。図２は、カメラコントロールユニット１が備えるフロントパネル４の開閉構造を示す図であり、図１のＡ断面図である。なお、以下の説明で用いる前後，左右，上下の各方向は説明に用いる各図に示している。
【００１４】
図１に示すように、カメラコントロールユニット１は、回路基板２ａ等を内蔵したシャーシ２と、シャーシ２の前面開口部２Ａを塞ぐフロントパネル４とを備えている。
【００１５】
シャーシ２は、前面が開口した扁平四角箱状を呈しており、左右の側板の上端部の前縁からは固定舌片２２が延びている。固定舌片２２は、シャーシ２の側板の前縁で、前面開口部２Ａの上縁部の左右の角部からそれぞれ内側に向かって左右方向に延びている。固定舌片２２には、フロントパネル４をネジ４Ｃでシャーシ２にネジ止めして固定するためのネジ孔２２ａが備えられている。
【００１６】
シャーシ２の左右の側板の下端部の前縁からは、フロントパネル４を支持するための支持舌片２３が前方に向けて延びている。前面開口部２Ａの上縁部に沿って延びたシャーシ２の上板の前縁部には、上板を下側にＬ字状に湾曲させて構成された受部２５が備えられている。また、前面開口部２Ａの下縁部に沿って延びたシャーシ２の下板の前縁部には、下板を下側にＬ字状に湾曲させて構成された載置部２６が備えられている。
【００１７】
下板が備える載置部２６の上面には、シャーシ２とフロントパネル４との隙間から漏れる電磁波を遮蔽し、シャーシ２内の気密性を保つためのシールドガスケット２７が取り付けられている。シールドガスケット２７は、接着剤等で載置部２６の上面に貼り付けられている。シャーシ２の左右の側板の前端部には、取付金具３をネジ止めするためのネジ孔２１が設けられている。
【００１８】
取付金具３は、１９インチラック等にシャーシ２を設置するためのものであり、矩形の平板体を断面Ｌ字状に折り曲げた形状を有している。取付金具３は、折曲箇所を挟んだ一辺側がシャーシ２に固定するための固定片３Ａ、他辺側がラック等に取り付けるための取付片３Ｂとなっている。
【００１９】
固定片３Ａには、取付金具３をシャーシ２にネジ止めするための挿通孔３１と、フロントパネル４を軸支するための支持軸３３とが備えられている。支持軸３３は、固定片３Ａの下端部の前端部から取付片３Ｂの延伸方向と反対側に向けて延びている。また、取付片３Ｂには、シャーシ２が設置されるラック等に取付金具３をネジ止めするための挿通長孔３２が備えられている。
【００２０】
フロントパネル４は、矩形の平板状を呈した前板４１の上下及び左右の縁部から後方に向けて側板４２，４３を延出させた形状を有しており、スイッチ４Ａやランプ４Ｂ等の電気部品が前板４１の裏面に設置されている。前板４１の上縁部の左右の角部には、フロントパネル４をシャーシ２にネジ止めするネジ４Ｃの挿通孔（不図示）が形成されている。
【００２１】
フロントパネル４の左右の側板４３には、上述した支持軸３３が挿通される挿通孔４４が形成されている。挿通孔４４は、側板４３の下縁部の前端部に形成されており、側板４３を左右方向に貫通している。下側の側板４２の後縁部からは、側板４２の左端部から右端部にかけて、図２に示すようにリブ４５が延びている。リブ４５は、側板４２の後縁から上方に向けて延びた後、屈曲して後方に延びており、Ｌ字の断面形状を有している。
【００２２】
フロントパネル４は、シャーシ２の受部２５を上側の側板４２で外側から、支持舌片２３を左右の側板４３で外側からそれぞれ覆い、シャーシ２の前端開口部２Ａを前側から覆うようにしてシャーシ２の前端部に嵌め合わされる。取付金具３は、側板４３の挿通孔４４に支持軸３３を挿通させ、挿通孔３１に挿通されたネジがネジ孔２１に螺着されることで、シャーシ２の左右の側板にネジ止めされる。その後、挿通長孔３２に挿通させたネジを用いて取付金具３がラック等に固着されることで、シャーシ２の設置が行われる。
【００２３】
図２に示すように、フロントパネル４は、挿通孔４４に挿通された取付金具３（図１参照）の支持軸３３でシャーシ２に回転自在に支持されており、前端開口部２Ａを開いた開位置と前端開口部２Ａを閉じた閉位置との間で、支持軸３３を中心として図２に矢印で示すように前後方向に回動する。また、フロントパネル４は、前板４１の挿通孔（不図示）に挿通されたネジ４Ｃ（図１参照）がシャーシ２の固定舌片２２が備えるネジ孔２２ａに螺着されることで、シャーシ２にネジ止めされて閉位置で固定される。
【００２４】
図２に実線で示すように、フロントパネル４が閉位置に位置した状態では、下側の側板４２の載置部２６に取り付けられたシールドガスケット２７にフロントパネル４のリブ４５が押し付けられて、リブ４５と載置部２６とでシールドガスケット２７が挟み込まれ、リブ４５とシールドガスケット２７の上面とが面接触をする。これにより、フロントパネル４がシールドガスケット２７を介してシャーシ２と電気的に接触し、シャーシ２と共に接地される。
【００２５】
本実施形態によれば、シャーシ２の設置に用いる取付金具３に支持軸３３を設け、支持軸３３に支持される挿通孔４４をフロントパネル４に設けるという簡単な構成で、ヒンジ等の部品を別途設けることなく、フロントパネル４でシャーシ２を開閉することができる。また、取付金具３を介してフロントパネル４をシャーシ２で支持することから、スイッチ４Ａやランプ４Ｂ等の電気部品をフロントパネルに設置することもできる。
【００２６】
また、フロントパネル４のリブ４５と載置部２６とでシールドガスケット２７を挟み込むことで、フロントパネル４をシャーシ２に電気的に接触させて接地することができる。このため、電磁波遮蔽と気密性保持のためのシールドガスケット２７を、フロントパネル４をシャーシ２と電気的に接続させるための部材としても用いて、別途部品を設けることなくフロントパネル４の接地を行うこともできる。この結果、カメラコントロールユニット１の製造コストを低減することが出来る。
【００２７】
しかも、フロントパネル４のリブ４５と載置部２６とでシールドガスケット２７を挟み込むことで、リブ４５とシャーシ２とをシールドガスケット２７を介して面で接触させられることから、接地抵抗を低くすることができる。
【００２８】
上記実施形態では、取付金具３の支持軸３３で支持部を構成し、フロントパネル４の挿通孔４４で被支持部を構成した場合について説明した。しかしながら、フロントパネル４に設けた凹部に支持軸３３を嵌め合わせて、フロントパネル４をシャーシ２に回転自在に支持してもよい。また、取付金具３の備える凹部又は孔にフロントパネル４の備える突出部を嵌め合わせることで、フロントパネル４をシャーシ２に回転自在に支持してもよい。
【００２９】
また、上記実施形態では、シャーシ２の下板の前縁部を下側に湾曲させて構成された載置部２６にシールドガスケット２７を取り付けた場合について説明した。しかしながら、必ずしも載置部２６を備えている必要はなく、シールドガスケット２７を下板に直接取り付けてもよい。また、シャーシ２は、必ずしも支持舌片２３，受部２５を備えていなくてもよい。
【００３０】
また、上記実施形態では、取付金具３の挿通長孔３２に挿通されたネジで、１９インチラック等にシャーシ２を設置した場合について説明したが、取付金具３を用いたシャーシ２の設置方法は任意であり、ネジ止めによらない場合には取付金具３が挿通長孔３２を備えていなくてもよい。
【００３１】
以上、本発明の実施形態について説明したが、本発明の実施態様としては、以下のものを挙げることができる。
実施態様１のフロントパネルの開閉構造は、略箱形のシャーシの前面に設けられた開口部を開閉するフロントパネルの開閉構造であって、前記シャーシの設置に用いる一対の取付具に支持部を備え、前記フロントパネルが、前記シャーシを閉じる閉位置と開く開位置との間で回転自在に、前記支持部で被支持部を支持されていることを特徴とする
【００３２】
また、実施態様２のフロントパネルの開閉構造は、実施態様１において、前記シャーシには、シールドガスケットが取り付けられており、前記フロントパネルが、前記閉位置で前記シールドガスケットを前記シャーシとで挟み込む接地用のリブを備えていることを特徴とする。
【符号の説明】
【００３３】
１          カメラコントロールユニット
２          シャーシ
２ａ        回路基板
２１        ネジ孔
２２        固定舌片
２２ａ      ネジ孔
２３        支持舌片
２５        受部
２６        載置部
２７        シールドガスケット
２Ａ        前面開口部
３          取付金具
３１        挿通孔
３２        挿通長孔
３３        支持軸
３Ａ        固定片
３Ｂ        取付片
４          フロントパネル
４１        前板
４２，４３  側板
４４        挿通孔
４５        リブ
４Ａ        スイッチ
４Ｂ        ランプ
４Ｃ        ネジ
【図１】
2011103375.tif 000003
【図２】
2011103375.tif 000004